(57)【特許請求の範囲】
【請求項１】
操作部を有する測定器が、ネットワークに複数接続される測定器のリモート操作システムにおいて、
前記操作部が操作され、ネットワーク上に操作内容を送信する親機側の測定器と、
この親機側の測定器から受信した操作内容に従って自機器を操作する子機側の測定器と
を設けたことを特徴とする測定器のリモート操作システム。
【請求項２】
測定器は、
前記操作部が操作された操作内容を、ネットワークを介して他の測定器と送受信する通信部と、
この通信部が受信した操作内容に従って、自機器を操作する制御部と
を設けたことを特徴とする請求項１記載の測定器のリモート操作システム。
【請求項３】
測定器は、
前記受信した操作内容を記憶する記憶部と、
前記制御部に前記記憶部の操作内容を読み出せて実行させる実行手段と
を設けたことを特徴とする請求項２記載の測定器のリモート操作システム。
【請求項４】
測定器は、他の測定器と同期をとって前記制御部に前記操作内容を実行させる同期手段を有することを特徴とする請求項２または３記載の測定器のリモート操作システム。
【請求項５】
操作部は、ボタン、スイッチ、ノブ、タッチキーの少なくとも一つの操作部品が設けられ、
子機側の測定器は、前記受信した操作内容に従って、操作された操作部の操作部品を識別させる識別手段を有することを特徴とする請求項１〜４のいずれかに記載の測定器のリモート操作システム。
【発明の詳細な説明】
【技術分野】
【０００１】
本発明は、操作部を有する測定器が、ネットワークに複数接続される測定器のリモート操作システムに関するものであり、詳しくは、測定器を簡単にリモート操作できる測定器のリモート操作システムに関するものである。
【背景技術】
【０００２】
図６は、従来の測定器のリモート操作システムの構成を示した図である（例えば、特許文献１、２参照）。図６において、ネットワーク１００に、パソコンＰＣ、複数の測定器１０（１）〜１０（ｎ）が接続される。パソコンＰＣ、測定器１０（１）〜１０（ｎ）共に通信部を有し、所定のプロトコルでパソコンＰＣと測定器１０（１）〜１０（ｎ）間で通信を行なう。測定器１０（１）〜１０（ｎ）は、前面に表示部１１、操作部１２を有する。操作部１２は、ボタン、スイッチ、ロータリーノブ、タッチキー等で構成される。
【０００３】
このようなシステムの動作を説明する。
まず、測定器１０（１）〜１０（ｎ）を直接操作する場合から説明する。測定器１０（１）を図示しない被測定対象に接続する。そして、操作部１２を操作し、測定条件の設定、測定等を行ない、測定結果を表示部１２に表示したり、内部メモリ（図示せず）や外部の記憶手段に記憶させる。そして、測定器１０（１）の操作が終了すると、順次、測定器１０（２）〜１０（ｎ）を同様に操作し、測定させる。
【０００４】
次に、パソコンＰＣ側から測定器１０（１）〜１０（ｎ）をリモート（遠隔）操作する場合を説明する。測定器１０（１）〜１０（ｎ）を、図示しない被測定対象に接続する。そして、パソコンＰＣ上で、遠隔操作用のプログラムを作成する。さらに、プログラムを実行させて、各測定器１０（１）〜１０（ｎ）にネットワーク１００を介してコマンドを送信する。このコマンドに従って、測定器１０（１）〜１０（ｎ）が、測定条件の設定、測定等を行ない、測定結果やコマンド応答の結果をパソコンＰＣに返送する。
【０００５】
その他のリモート操作システムとしては、パソコンＰＣの画面上に、測定器１０（１）〜１０（ｎ）の操作部１２を模した疑似操作部を表示させ、画面上の疑似キーで操作するものもある（例えば、特許文献３参照）。
【０００６】
【特許文献１】特開平１０−１１１１５１号公報
【特許文献２】特開２０００−２４２８８２号公報
【特許文献３】特開２００１−１２４５９７号公報
【発明の開示】
【発明が解決しようとする課題】
【０００７】
ネットワーク１００上の測定器１０（１）〜１０（ｎ）が、同一の形式または同等の機能を持った同シリーズであっても、操作部１２を直接操作する場合は、一台ずつ設定する必要がある。一方、パソコンＰＣからリモート操作によって測定器１０（１）〜１０（ｎ）を操作する場合、一度に複数の測定器１０（１）〜１０（ｎ）を操作して設定することができる。
【０００８】
しかしながら、リモート操作の場合、既に作成したプログラムの操作内容と異なる操作を行なうには、新たにプログラムを作成しなければならず、プログラムの知識が必要であると共に、プログラム作成工数が必要であった。また、機種が異なれば、当然に、新たなプログラムを作成しなければならなかった。そのため、測定器１０（１）〜１０（ｎ）のリモート操作を行なうことが難しいという問題があった。
【０００９】
そして、測定器１０（１）〜１０（ｎ）が、作成したプログラムによって所定の動作を行なうか等を確認するためのデバック作業も必要であり、パソコンＰＣと測定器１０（１）〜１０（ｎ）の設置場所が離れていると、作業に時間と手間がかかり、所望の操作内容で、リモート操作を行なうことが難しいという問題もあった。
【００１０】
さらに、例えば、測定器１０（１）〜１０（ｎ）が工場の検査ライン等に設置されている場合、測定器１０（１）〜１０（ｎ）でトラブルが発生しても、測定器１０（１）〜１０（ｎ）側のユーザは、測定器１０（１）〜１０（ｎ）について分かっていないことが多い。そのため、仮にパソコンＰＣ側の管理者が、測定器１０（１）〜１０（ｎ）のユーザに電話で操作方法を説明しても、話を聞くだけではユーザが理解できず、トラブルの再現、トラブルの解決が困難であるという問題もあった。
【００１１】
そこで本発明の目的は、測定器を簡単にリモート操作できる測定器のリモート操作システムを実現することにある。
【課題を解決するための手段】
【００１２】
請求項１記載の発明は、
操作部を有する測定器が、ネットワークに複数接続される測定器のリモート操作システムにおいて、
前記操作部が操作され、ネットワーク上に操作内容を送信する親機側の測定器と、
この親機側の測定器から受信した操作内容に従って自機器を操作する子機側の測定器と
を設けたことを特徴とするものである。
請求項２記載の発明は、請求項１記載の発明において、
測定器は、
前記操作部が操作された操作内容を、ネットワークを介して他の測定器と送受信する通信部と、
この通信部が受信した操作内容に従って、自機器を操作する制御部と
を設けたことを特徴とするものである。
請求項３記載の発明は、請求項２記載の発明において、
測定器は、
前記受信した操作内容を記憶する記憶部と、
前記制御部に前記記憶部の操作内容を読み出せて実行させる実行手段と
を設けたことを特徴とするものである。
請求項４記載の発明は、請求項２または３記載の発明において、
測定器は、他の測定器と同期をとって前記制御部に前記操作内容を実行させる同期手段を有することを特徴とするものである。
請求項５記載の発明は、請求項１〜５のいずれかに記載の発明において、
操作部は、ボタン、スイッチ、ノブ、タッチキーの少なくとも一つの操作部品が設けられ、
子機側の測定器は、前記受信した操作内容に従って、操作された操作部の操作部品を識別させる識別手段を有することを特徴とするものである。
【発明の効果】
【００１３】
本発明によれば、以下のような効果がある。
請求項１〜５によれば、同一または同シリーズの複数の測定器のうち、親機となった測定器が、操作部の操作内容を子機の測定器に送信する。そして、子機の測定器が、親機から受信した操作内容に従って自機器を操作するので、プログラムの知識や作成、さらにはプログラムのデバックも必要ない。これにより、親機だけでなく子機の測定器を簡単にリモート操作でき、非常に効率的に測定を行なえる。
請求項３によれば、記憶部が、親機からの操作内容を記憶し、実行手段が、記憶部の操作内容を制御部に実行させるので、操作内容の記録、再生が可能となり、所定のタイミングで子機の測定器の設定、測定等を行なうことができる。これにより、例えば、定型作業を記憶部に記憶させておけば、子機での操作ミスを防止したり、無人運転などを行なうことができる。
請求項４によれば、子機の同期手段が、他の子機と同期を図って、親機からの操作内容を制御部に実行させるので、例えば、子機で測定できるチャネル数が少なくとも、子機の台数分だけチャネル数を増やすことができる。
請求項５によれば、子機が、親機で操作された操作部の操作部品に対応する自機器の操作部品を自機器の他の操作部品と識別できるようにするので、子機側で親機の操作内容を容易に把握することができる。
【発明を実施するための最良の形態】
【００１４】
以下図面を用いて本発明の実施の形態を説明する。
図１は、本発明の第１の実施例を示した構成図である。図２は、図１に示す測定器２０（１）〜２０（ｎ）の構成図である。ここで、図６と同一のものには同一符号を付し、説明を省略する。図１、図２において、パソコンＰＣがネットワーク１００から取り外され、測定器１０（１）〜１０（ｎ）の代わりに、測定器２０（１）〜２０（ｎ）がネットワーク１００に接続される。
【００１５】
測定器２０（１）〜２０（ｎ）のうち、一台の測定器（例えば、測定器２０（１））が他の測定器（２０（２）〜２０（ｎ））をコントロールする。ここで、コントロールする測定器２０（１）を親機と呼び、コントロールされる測定器２０（２）〜２０（ｎ）を子機と呼ぶ。
【００１６】
測定器２０（１）〜２０（ｎ）は、同一の形式または同等の機能を持った同シリーズのものである。同シリーズとしては、例えば、測定機能は同じだが、色、大きさ、形状が異なる場合や、スペック（メモリ長、演算機能、オプション等）に差はあるが、基本となる測定機能が同一のもの等が該当する。
【００１７】
測定器２０（１）〜２０（ｎ）は、前面に表示部２１と操作部２２が設けられ、さらに、測定部２３、制御部２４、通信部２５が設けられ、ネットワーク１００によって親機と子機間で通信を行なう。また、親機側の操作部２２を操作した操作内容がネットワーク１００を介して子機側で受信され、子機が操作内容に従って自機器を操作する。つまり、親機の操作部２２が、ネットワーク１００を介して接続された子機の操作部２２を兼ねている。
【００１８】
表示部２１は、測定結果の波形や演算結果、解析結果、設定結果等が表示される。操作部２２は、ボタン、スイッチ、ロータリーノブ、タッチキー（タッチパネル上に設けられる操作部分）等のいずれかのうち少なくとも一つを含む操作部品が設けられる。
【００１９】
測定部２３は、被測定対象と接続される。制御部２４は、変換手段２４ａ、識別手段２４ｂを有し、表示部２１、操作部２２、測定部２３と相互に接続される。変換手段２４ａは、操作部２２の操作内容のコマンド解釈を行なう。識別手段２４ｂは、操作内容に従って自機器の操作部２２の操作部品を点灯させる。
【００２０】
通信部２５は、制御部２４、ネットワーク１００と相互に接続され、ネットワーク１００を介して、他の測定器２０（１）〜２０（ｎ）と通信を行なう。
【００２１】
このような装置の動作を説明する。図３は、図１、図２に示すシステムの動作を説明したフローチャートである。ここで、測定器２０（１）〜２０（ｎ）のうち、測定器２０（１）を親機とし、他の測定器２０（２）〜２０（ｎ）を子機とする例で説明する。例えば、図示しないスイッチを切り替えることによって、測定器２０（１）〜２０（ｎ）内のモード設定部（図示せず）が、自機器を親機側または子機側のモードに切り替える。
【００２２】
ユーザが、親機となる測定器２０（１）の操作部２２の操作部品（例えば、一番右下のボタン）を操作する（Ｓ１）。この操作内容は、親機の制御部２４の変換手段２４ａでコマンド解釈され、制御部２４が、自機器の設定（測定部２３の測定条件や表示部２１の表示条件等）を行なったり、測定部２３に測定を行なわせたり、測定データの演算等を行なう。そして、親機の測定部２３からの測定結果の測定データに基づいて表示部２１に波形を表示したり、測定データの演算結果や解析結果等も表示する（Ｓ２）。
【００２３】
また、親機の制御部２４から通信部２５に操作内容に対応したコマンドが出力される。そして、親機の通信部２５が、所定の通信プロトコルで、ネットワーク１００を介して子機の測定器２０（２）〜２０（ｎ）の通信部２５にコマンドを送信し（Ｓ３）、子機の通信部２５がコマンドを受信する（Ｓ４）。
【００２４】
子機の制御部２４が、通信部２５で受信したコマンドに従って、自機器の設定を行なったり、測定、演算等を行なう。この際、子機の識別手段２４ｂが、親機の操作内容に従って、親機で操作された操作部２２の操作部品に対応した自機器の操作部品（例えば、一番右下の操作部品）を点灯させて、自機器の他の操作部品と識別させる。そして、子機の制御部２４が、設定結果を表示部２１に表示すると共に、通信部２５、ネットワーク１００を介して、表示部２１の表示画面をエンコードしたデータを、親機の通信部２５に送信する（Ｓ５）。
【００２５】
そして、親機の制御部２４が、通信部２５で受信したデータをデコードして、表示部２１に子機の設定結果を表示する。なお、親機の表示部２１の表示画面を分割して、親機、子機の結果を同時に表示してもよく、画面を分割せずに順番に表示してもよい（Ｓ６）。
【００２６】
さらに、子機が、コマンドに従って動作している様子、例えば、測定データの波形表示画面や、測定データの演算結果や解析結果等の表示画面をエンコードして通信部２５、ネットワーク１００を介して親機の通信部２５にエンコードしたデータを送信する（Ｓ７）。そして、親機の制御部２４が、通信部２５で受信したデータをデコードして、表示部２１に子機の動作内容の結果を表示する。なお、上述のように、親機の表示部２１の表示画面を分割して、親機、子機の結果を同時に表示してもよく、画面を分割せずに順番に表示してもよい（Ｓ８）。
【００２７】
そして、親機の操作が終了したならば、子機のリモート操作も終了し（Ｓ９）、操作が続く場合は、再度リモート操作を開始する（Ｓ９、Ｓ１〜Ｓ８）。
【００２８】
このように、同一または同シリーズの複数の測定器２０（１）〜２０（ｎ）のうち、親機となった測定器２０（１）が、操作部２２の操作内容を子機の測定器２０（２）〜２０（ｎ）に送信する。そして、子機の測定器２０（２）〜２０（ｎ）が、親機から受信した操作内容に従って自機器を操作するので、プログラムの知識や作成、さらにはプログラムのデバックも必要ない。これにより、親機だけでなく子機の測定器２０（１）〜２０（ｎ）を簡単にリモート操作でき、非常に効率的に測定を行なえる。
【００２９】
また、子機が、親機で操作された操作部２２の操作部品に対応する自機器の操作部品を点灯させて、操作している操作部品を識別させるので、子機側でも操作内容を容易に把握することができる。これにより、例えば、親機と子機が離れた場所にあっても、実際の操作を確認しながら、親機側のユーザと子機側のユーザとが話をすることができ、トラブルの再現、トラブルの解決を容易に行なうことができる。また、例えば、測定器２０（１）〜２０（ｎ）の教室内でのトレーニングや、客先でのデモンストレーションの際、一人の操作を、複数の測定器２０（２）〜２０（ｎ）で実演することができ、見ているユーザの理解が容易となる。
【００３０】
図４は、本発明の第２の実施例を示した構成図である。ここで、図１、図２と同一のものは同一符号を付し、説明を省略する。図４において、記憶部２６、制御部２４に実行手段２４ｃが新たに設けられる。記憶部２６は、子機の通信部２５が受信した親機の操作内容を記憶する。
【００３１】
このようなシステムの動作を説明する。
親機の操作を開始する前に、あらかじめ、子機の測定器２０（２）〜２０（ｎ）の実行手段２４ｃに、コマンドを実行する時刻を設定する。
【００３２】
そして、リモート操作が開始されると、子機の制御部２４が、通信部２５が受信した親機からのコマンドを記憶部２６に記憶させる。そして、実行手段２４ｃが、設定された時刻になると、所定の時刻になったことを制御部２４に通知する。この通知により、制御部２４が、記憶部２６に記憶された親機からのコマンドを読み出し、親機で操作された操作内容を実行する。子機の記憶部２６に親機からの操作内容を記憶し、子機の実行手段２４ｃが、自機器の制御部２４に記憶部２６のコマンドを読み出させて、実行させる以外の動作は、図１、図２に示す装置と同様なので説明を省略する。
【００３３】
なお、時刻をあらじめ設定せず、例えば、子機の測定器２０（２）〜２０（ｎ）の外部入力端子（図示せず）にトリガ信号が入力されたことを実行手段２４ｃが検知し、実行手段２４ｃが制御部２４に通知してもよい。
【００３４】
このように、記憶部２６が、親機からの操作内容を記憶し、実行手段２４ｃが、記憶部２６の操作内容を制御部２４に実行させるので、操作内容の記録、再生が可能となり、所定のタイミングで子機の測定器２０（２）〜２０（ｎ）の設定、測定等を行なうことができる。これにより、例えば、定型作業を記憶部２６に記憶させておけば、子機での操作ミスを防止したり、無人運転などを行なうことができる。また、記憶部２６の操作内容を読み出して編集を行なうことも可能となる。
【００３５】
図５は、本発明の第３の実施例を示した構成図である。ここで、図４と同一のものは同一符号を付し、説明を省略する。図５において、制御部２４に同期手段２４ｄが新たに設けられる。同期手段２４ｄは、他の子機の測定器２０（２）〜２０（ｎ）と同期をとる。
【００３６】
このような装置の動作を説明する。子機それぞれの同期手段２４ｄが、例えば、ＧＰＳ（Global Positioning System）から電波を受信し、所定の時刻になったら、自機器の制御部２４に通信部２５で受信したコマンドを実行させる。または、子機の同期手段２４ｄ同士が、通信部２５、ネットワーク１００を介して同期を図り、所定のタイミングで、自機器の制御部２４に通信部２５で受信したコマンドを実行させる。なお、必要に応じて、記憶部２６からコマンドを読み出させて実行させてもよい。その他の動作は、図４に示す装置と同様なので説明を省略する。
【００３７】
このように、子機の同期手段２４ｄが、他の子機と同期を図って、制御部２４に親機からの操作内容を実行させるので、例えば、子機の測定部２３のチャネル数が少なくとも、子機の台数分だけチャネル数を増やすことができる。
【００３８】
なお、本発明はこれに限定されるものではなく、以下に示すようなものでもよい。
親機が、複数の子機（測定器２０（２）〜２０（ｎ））に操作内容のコマンドを送信する構成を示したが、操作内容のコマンドを一台の子機のみに送信してよく、または、ブロードキャスト、マルチキャストであってもよい。さらに、親機は、操作内容Ａを測定器２０（２）に送信し、操作内容Ｂを測定器２０（３）に送信し、各測定器２０（２）〜２０（ｎ）で異なる動作をさせてもよい。
【００３９】
測定器２０（１）を親機とし、測定器２０（２）〜２０（ｎ）を子機とする構成を示したが、どの測定器２０（１）〜２０（ｎ）を、親機または子機としてもよい。
【００４０】
子機側の識別手段２４ｂが、親機側で操作された操作部２２の操作部品に対応する自機器の操作部品を点灯させる構成を示したが、例えば、実際にボタンやノブが操作されたように動かしてもよく、要は、識別手段２４ｂが、複数の操作部品のうち、どの操作部品が操作されたかを、ユーザが識別できるようにすればよい。
【００４１】
親機の操作部２２の操作内容に従って、親機自身も設定、測定を行なう構成を示したが、親機は、操作部２２の操作内容の送信および受信した子機からの結果表示（つまり、親機の結果は表示しない）を行ない、自機器の設定、測定をしなくともよい。
【００４２】
親機、子機の測定器２０（１）〜２０（ｎ）に、被測定対象の測定を行なわせる構成を示したが、親機、子機の測定器２０（１）〜２０（ｎ）を校正装置（図示せず）に接続して、親機、子機の校正を行なわせもよい。これにより、親機の測定器２０（１）に、子機の結果が表示されるので、子機の校正も一度に、かつ容易に行なうことができる。
【図面の簡単な説明】
【００４３】
【図１】本発明の第１の実施例を示した構成図である。
【図２】図１に示す測定器の構成を示した図である。
【図３】図１に示すシステムの動作を説明したフローチャートである。
【図４】本発明の第２の実施例を示した構成図である。
【図５】本発明の第３の実施例を示した構成図である。
【図６】従来の測定器のリモート操作システムの構成を示した図である。
【符号の説明】
【００４４】
２０（１）〜２０（ｎ）  測定器
２２  操作部
２４  制御部
２４ｂ  識別手段
２４ｃ  実行手段
２５  通信部
１００  ネットワーク
【図１】
0004771122.tif 000002
【図２】
0004771122.tif 000003
【図３】
0004771122.tif 000004
【図４】
0004771122.tif 000005
【図５】
0004771122.tif 000006
【図６】
0004771122.tif 000007